(57)【要約】【課題】データベースに登録した画像情報からなるＰＤＦファイルのサムネイル表示の効果を最大限に活かして閲覧可能とするデータベースシステム等を提供する。【解決手段】クライアント端末１０３から受信した商品画像ファイル（ＰＤＦファイル）のページ毎の画像データを、ＧＩＦアニメーション化した１つのＧＩＦファイルに変換し、ＧＩＦファイルの画像データを縮小したサムネイル画像３２２を生成し、ＰＤＦファイルと共に商品情報データベース３０１に登録、保持する。クライアント端末からのサムネイル画像閲覧要求に伴い、商品情報データベース３０１からサムネイル画像３２２を抽出し提供する。クライアント端末１０３は、受け取ったサムネイル画像３２２を表示することにより、商品画像ファイル（ＰＤＦファイル）の全ページを順次自動的にサムネイル表示する。【選択図】図９
2008065656.tif 000002
【特許請求の範囲】
【請求項１】
クライアント端末と、情報を記憶、管理するデータベースを有し、前記データベースを管理するデータベースサーバと、にネットワークを介して接続され、前記データベースに登録されている画像情報からなる画像ファイルのサムネイル画像を提供するサーバであって、
前記クライアント端末からの前記画像ファイルの登録要求に伴い、受信した前記画像ファイルの各ページ毎の画像データを基に、ページ数分の静止画像を結合して形成される動画像からなる１つの動画ファイルを生成し、前記動画ファイルの画像データを縮小したサムネイル画像を前記データベースに登録、保持する登録手段と、
前記クライアント端末からの前記サムネイル画像閲覧要求に伴い、前記データベースから前記サムネイル画像を抽出し提供する提供手段と、
を備え、
前記クライアント端末は、受け取ったサムネイル画像を表示することにより、前記画像ファイルの全ページを順次自動的にサムネイル表示することを特徴とするサムネイル画像提供サーバ。
【請求項２】
前記登録手段は、
受信した画像ファイルを、各ページ毎の画像データに変換し、各ページに対応した連番のファイル名を設定した、ページ数分のページ画像ファイルを生成するページ変換手段と、
生成したページ数分のページ画像ファイルを前記ファイル名でソートし、各ページに対応する静止画像を結合して形成される動画像である１つの動画ファイルを変換、生成する動画ファイル変換手段と、
生成した動画ファイルの画像データを縮小したサムネイル画像を生成するサムネイル画像生成手段と、
前記画像ファイル、及び生成したサムネイル画像を前記データベースに登録、保持するデータベース登録手段と、
を具備することを特徴とする請求項１記載のサムネイル画像提供サーバ。
【請求項３】
前記画像ファイルは、ＰＤＦファイルであることを特徴とする請求項１記載のサムネイル画像提供サーバ。
【請求項４】
前記ページ画像ファイルは、ＪＰＥＧファイルであることを特徴とする請求項１記載のサムネイル画像提供サーバ。
【請求項５】
前記動画像ファイルは、ＧＩＦファイルであることを特徴とする請求項１記載のサーバ。
【請求項６】
前記複数の静止画像から形成される動画像は、ＧＩＦアニメーションであることを特徴とする請求項１記載のサーバ。
【請求項７】
前記サーバはＷｅｂサーバであり、前記クライアント端末はＷｅｂブラウザとして機能するものであることを特徴とする請求項１記載のサムネイル画像提供サーバ。
【請求項８】
クライアント端末と、情報を記憶、管理するデータベースを有し、前記データベースを管理するデータベースサーバと、前記データベースに登録されている画像情報のＰＤＦファイルのサムネイル画像を提供するサーバと、がネットワークを介して接続されるデータベースシステムであって、
前記サーバは、
前記クライアント端末からの前記画像ファイルの登録要求に伴い、受信した前記画像ファイルの各ページ毎の画像データを基に、ページ数分の静止画像を結合して形成される動画像からなる１つの動画ファイルを生成し、前記動画ファイルの画像データを縮小したサムネイル画像を前記データベースに登録、保持する登録手段と、
前記クライアント端末からの前記サムネイル画像閲覧要求に伴い、前記データベースから前記サムネイル画像を抽出し提供する提供手段と、
を備え、
前記クライアント端末は、
前記サーバに対して、前記画像ファイルの登録要求を送信する登録要求手段と、
受け取ったサムネイル画像を表示することにより、前記画像ファイルの全ページを順次自動的にサムネイル表示する表示手段と、
を具備することを特徴とするデータベースシステム。
【請求項９】
コンピュータを請求項１から請求項７のいずれかに記載のサムネイル画像提供サーバとして機能させるプログラム。
【請求項１０】
コンピュータを請求項１から請求項７のいずれかに記載のサムネイル画像提供サーバとして機能させるプログラムを記録した記録媒体。
【発明の詳細な説明】
【技術分野】
【０００１】
本発明は、ネットワークを利用したデータベースシステムに係り、特にデータベースシステムへのＰＤＦ（Ｐｏｒｔａｂｌｅ
Ｄｏｃｕｍｅｎｔ Ｆｏｒｍａｔ）ファイルの画像データの登録及び登録した画像データのサムネイル表示に関する。
【背景技術】
【０００２】
近年、カタログ制作を行う際、コンピュータの普及に伴い、カタログに載せる商品データをデータベース化して利用することが始まっている。データベースと連携し、デスクトップパブリッシング（ＤＴＰ）等でカタログ制作作業を行い、その効率化が図られてきている。例えば、商品に関わるテキストデータからなる商品情報や画像データからなる素材ファイル等を蓄積したデータベースと、データベースの情報を管理し、データベースの情報の入出力、検索、閲覧等の機能を提供するサーバと複数のユーザ端末装置等からなるＷｅｂ上で動作するデータベースシステムが存在する（例えば、特許文献１）。このようなデータベースシステムでは、データベースに登録された素材ファイルの画像データをサムネイル一覧で閲覧することができる。
【０００３】
また、昨今、パーソナルコンピュータ等で取り扱うことができる動画データとして、ＧＩＦ(Ｇｒａｐｈｉｃｓ Ｉｎｔｅｒｃｈａｎｇｅ Ｆｏｒｍａｔ)アニメーションが使われることがある。ＧＩＦアニメーションは、一つのファイルの中に複数の静止画像を保存し、それらを順に表示していくことで動画を表現している。言わば、パラパラマンガの要領である。ＧＩＦ形式で圧縮しているためサイズが小さく済むことから、インターネット上のホームページや広告バナーなどに簡易な動画として利用されている。
【０００４】
【特許文献１】特開２００１−３２４９７５号公報
【発明の開示】
【発明が解決しようとする課題】
【０００５】
従来のデータベースシステムでは、チラシやリーフレット等の画像データからなる画像ファイル（ＰＤＦファイル）は、閲覧時、トップページなど特定ページのサムネイルを表示していたが、特定ページに固定しているため、サムネイルの利点である「複数情報の比較・参照の容易さ（一覧性）」を活かせる内容のページがサムネイル表示されない場合もあり、サムネイル表示の効果が減少するという問題があった。
また、一般的に、ＰＤＦファイル毎に、サムネイルの利点を活かす内容のページが異なるため、サムネイル化するページをＰＤＦファイル毎に設定することも考えられるが、手間が掛かっていた。
【０００６】
本発明は、以上の点に鑑みてなされたものであり、データベースに登録した画像情報からなるＰＤＦファイルのサムネイル表示の効果を最大限に活かして閲覧可能とするデータベースシステム等を提供することを目的とする。
【課題を解決するための手段】
【０００７】
前述した目的を達成するために第１の発明は、クライアント端末と、情報を記憶、管理するデータベースを有し、前記データベースを管理するデータベースサーバと、にネットワークを介して接続され、前記データベースに登録されている画像情報からなる画像ファイルのサムネイル画像を提供するサーバであって、前記クライアント端末からの前記画像ファイルの登録要求に伴い、受信した前記画像ファイルの各ページ毎の画像データを基に、ページ数分の静止画像を結合して形成される動画像からなる１つの動画ファイルを生成し、前記動画ファイルの画像データを縮小したサムネイル画像を前記データベースに登録、保持する登録手段と、前記クライアント端末からの前記サムネイル画像閲覧要求に伴い、前記データベースから前記サムネイル画像を抽出し提供する提供手段と、を備え、前記クライアント端末は、受け取ったサムネイル画像を表示することにより、前記画像ファイルの全ページを順次自動的にサムネイル表示することを特徴とするサムネイル画像提供サーバである。
【０００８】
また、前記登録手段は、受信した画像ファイルを、各ページ毎の画像データに変換し、各ページに対応した連番のファイル名を設定した、ページ数分のページ画像ファイルを生成するページ変換手段と、生成したページ数分のページ画像ファイルを前記ファイル名でソートし、各ページに対応する静止画像を結合して形成される動画像である１つの動画ファイルを変換、生成する動画ファイル変換手段と、生成した動画ファイルの画像データを縮小したサムネイル画像を生成するサムネイル画像生成手段と、前記画像ファイル、及び生成したサムネイル画像を前記データベースに登録、保持するデータベース登録手段と、を具備することが望ましい。
【０００９】
「情報」は、テキストデータ（スペックなど）及び画像データからなる。
「複数の静止画像から結合して形成される動画像」は、ＧＩＦアニメーションを表現し、この画像データは、１つのＧＩＦ（Ｇｒａｐｈｉｃｓ
Ｉｎｔｅｒｃｈａｎｇｅ Ｆｏｒｍａｔ）形式のファイルに格納される。
【００１０】
第１の発明では、商品画像ファイルの全ページがサムネイル表示されるため、複数情報の比較・参照の容易さ、ページ内の一覧性を向上させ、その画像の特徴を即座に把握することができるため、サムネイル表示の効果を最大限に活かせ、データベースに登録されている素材のサムネイルを有効に閲覧可能とする。
【００１１】
また、第２の発明は、クライアント端末と、情報を記憶、管理するデータベースを有し、前記データベースを管理するデータベースサーバと、前記データベースに登録されている画像情報のＰＤＦファイルのサムネイル画像を提供するサーバと、がネットワークを介して接続されるデータベースシステムであって、前記サーバは、前記クライアント端末からの前記画像ファイルの登録要求に伴い、受信した前記画像ファイルの各ページ毎の画像データを基に、ページ数分の静止画像を結合して形成される動画像からなる１つの動画ファイルを生成し、前記動画ファイルの画像データを縮小したサムネイル画像を前記データベースに登録、保持する登録手段と、前記クライアント端末からの前記サムネイル画像閲覧要求に伴い、前記データベースから前記サムネイル画像を抽出し提供する提供手段と、を備え、前記クライアント端末は、前記サーバに対して、前記画像ファイルの登録要求を送信する登録要求手段と、受け取ったサムネイル画像を表示することにより、前記画像ファイルの全ページを順次自動的にサムネイル表示する表示手段と、を具備することを特徴とするデータベースシステムである。
【００１２】
第３の発明は、コンピュータを第１の発明のサムネイル画像提供サーバとして機能させるプログラムである。
第４の発明は、コンピュータを第１の発明のサムネイル画像提供サーバとして機能させるプログラムを記録した記録媒体である。
【００１３】
上述のプログラムをＣＤ−ＲＯＭ等の記録媒体に保持させて流通させてもよいし、このプログラムを通信回線を介して送受することもできる。
【発明の効果】
【００１４】
本発明は、データベースに登録した画像情報からなるＰＤＦファイルのサムネイル表示の効果を最大限に活かして閲覧可能とするデータベースシステム等を提供することができる。
【発明を実施するための最良の形態】
【００１５】
以下に、添付図面を参照しながら、本発明に係るデータベースシステム等の好適な実施形態について詳細に説明する。なお、以下の説明および添付図面において、略同一の機能構成を有する構成要素については、同一の符号を付することにより重複説明を省略することにする。
【００１６】
図１は、本発明の第１の実施の形態に係るデータベースシステム１００の概略構成を示す図である。
【００１７】
図１は、データベースシステム１００の１例であり、図１に示すように、データベースシステム１００は、サーバ１０１、複数のクライアント端末１０３等が、ネットワーク１０９を介して接続されて構成される。尚、データベーステキスト出力システム１００は、ＷＷＷ（Ｗｏｒｌｄ  Ｗｉｄｅ  Ｗｅｂ）技術を用いて実現した場合の構成図である。
【００１８】
ネットワーク１０９は、インターネット、ローカルエリアネットワーク（ＬＡＮ）、社内ＬＡＮ等のネットワークであり、有線、無線を問わない。
【００１９】
サーバ１０１は、サーバコンピュータ等であり、Ｗｅｂサーバ１１０、ＰＤＦファイルサムネイル登録・表示手段１１１、データベースサーバ１１２等を有する。ＰＤＦファイルサムネイル登録・表示手段１１１は、クライアント端末１０３から受信したＰＤＦファイルの全ページの画像データをＧＩＦアニメーション化した１つのＧＩＦファイルに変換し、そのサムネイル画像を、データベースサーバ１１２を介して、商品情報データベース３０１に登録し、クライアント端末１０３からの閲覧要求に伴い、登録したサムネイル画像を提供する。データベースサーバ１１２は、データベースエンジン等であり、商品情報データベース３０１への検索、参照、登録、削除等の各種要求に対する該当処理を行う。
【００２０】
クライアント端末１０３は、パーソナルコンピュータ、携帯型端末機（Ｐｅｒｓｏｎａｌ  Ｄｉｇｉｔａｌ  Ａｓｓｉｓｔａｎｔ）等である。クライアント端末１０３には、Ｗｅｂブラウザ１２０が搭載される。クライアント端末１０３は、Ｗｅｂブラウザ１２０を介して、Ｗｅｂサーバ１１０にアクセスし、画像情報からなるＰＤＦファイルの登録要求を送信する。また、登録した画像情報のサムネイル表示要求により、サムネイル画像を受信し、ＰＤＦファイルの全ページからなるＧＩＦアニメーション化したサムネイル画像を表示する。
【００２１】
次に、サーバ１０１のハードウェア構成を説明する。図２は、サーバ１０１のハードウェア構成図である。
【００２２】
サーバ１０１は、制御部２０１、記憶部２０２、メディア入出力部２０３、通信制御部２０４、入力部２０５、表示部２０６、印刷部２０７等が、システムバス２０９を介して接続されて構成される。
【００２３】
制御部２０１は、ＣＰＵ（Ｃｅｎｔｒａｌ  Ｐｒｏｃｅｓｓｉｎｇ  Ｕｎｉｔ  ）、ＲＯＭ（Ｒｅａｄ  Ｏｎｌｙ  Ｍｅｍｏｒｙ  ）、ＲＡＭ（Ｒａｎｄｏｍ  Ａｃｃｅｓｓ  Ｍｅｍｏｒｙ）等で構成される。
【００２４】
ＣＰＵは、記憶部２０２、ＲＯＭ、記録媒体等に格納されるプログラムをＲＡＭ上のワークメモリ領域に呼び出して実行し、システムバス２０９を介して接続された各装置を駆動制御し、サーバ１０１が行う後述する各種処理（図６、図７参照）を実現する。
ＲＯＭは、不揮発性メモリであり、コンピュータのブートプログラムやＢＩＯＳ等のプログラム、データ等を恒久的に保持している。
ＲＡＭは、揮発性メモリであり、記憶部２０２、ＲＯＭ、記録媒体等からロードしたプログラム、データ等を一時的に保持するとともに、制御部２０１が各種処理を行う為に使用するワークエリアを備える。
【００２５】
記憶部２０２は、ＨＤＤ（ハードディスクドライブ）であり、制御部２０１が実行するプログラム、プログラム実行に必要なデータ、ＯＳ（オペレーティングシステム）等が格納される。プログラムに関しては、ＯＳ（オペレーティングシステム）に相当する制御プログラム３９１や、本コンピュータを適用するサーバ１０１が行う後述の処理に相当するアプリケーションプログラム３９２等が格納されている。
これらの各プログラムコードは、制御部２０１により必要に応じて読み出されてＲＡＭに移され、ＣＰＵに読み出されて各種の手段として実行される。
【００２６】
メディア入出力部２０３（ドライブ装置）は、データの入出力を行い、例えば、フロッピディスクドライブ、ＰＤドライブ、ＣＤドライブ（−ＲＯＭ、−Ｒ、−ＲＷ等）、ＤＶＤドライブ（−ＲＯＭ、−Ｒ、−ＲＷ等）、ＭＯドライブ等のメディア入出力装置等を有する。
【００２７】
通信制御部２０４は、通信制御装置、通信ポート等を有し、サーバ１０１とネットワーク１０９間の通信を媒介する通信インタフェースであり、ネットワーク１０９を介して、クライアント端末１０３間の通信制御を行う。
【００２８】
入力部２０５は、データの入力を行い、例えば、キーボード、マウス等のポインティングデバイス、テンキー等の入力装置を有する。入力部２０５を介して、サーバ１０１に対して、操作指示、動作指示、データ入力等を行うことができる。
【００２９】
表示部２０６は、ＣＲＴモニタ、液晶パネル等のディスプレイ装置、ディスプレイ装置と連携してコンピュータのビデオ機能を実現するための論理回路等（ビデオアダプタ等）を有する。
【００３０】
印刷部２０７は、プリンタであり、印刷出力処理を行う。
【００３１】
システムバス２０９は、各装置間の制御信号、データ信号等の授受を媒介する経路である。
【００３２】
次に、図３を参照しながら、サーバ１０１の記憶部２０２が保持する情報について説明する。図３は、記憶部２０２が保持する情報を示す図である。
【００３３】
記憶部２０２内には、商品情報データベース３０１、制御プログラム３９１、アプリケーションプログラム３９２等が格納されている。
【００３４】
図４は、商品情報データベース３０１の一態様を示す図である。
図４に示すように、商品情報データベース３０１は、データベースサーバ１１２に接続され、商品のスペック等のテキスト情報からなる商品情報３１０、商品の画像情報からなる素材情報３２０等からなる。素材情報３２０には、チラシやリーフレット等の画像データからなるＰＤＦファイル３２１や、ＰＤＦファイルの画像データをアニメーションＧＩＦ化したサムネイル画像３２２が格納されている。尚、データベースサーバ１１２が管理する商品情報データベース３０１は、必要に応じて、複数存在してもよい。
【００３５】
制御プログラム３９１は、サーバ１０１の各構成部分を駆動制御するプログラムであり、ＯＳ（オペレーティングシステム）に相当する。
アプリケーションプログラム３９２は、サーバ１０１が行う後述の処理（図６、図７参照）に相当する実行可能プログラムであり、Ｗｅｂサーバ１１０、ＰＤＦファイルサムネイル登録・表示プログラム、画像変換エンジン、データベースサーバ１１２等に該当するプログラムである。
【００３６】
尚、商品情報データベース３０１のデータ構成は、この構成に限られるものではない。
【００３７】
次に、図５を参照しながら、クライアント端末１０３のハードウェア構成を説明する。図５は、クライアント端末１０３のハードウェア構成図である。
【００３８】
クライアント端末１０３は、制御部４０１、記憶部４０２、通信制御部４０３、メディア入出力部４０４、入力部４０５、表示部４０６、印刷部４０７等が、システムバス４０９を介して接続される。
尚、クライアント端末１０３のハードウェア構成は、図２について前述したサーバ１０１と同様の構成を採る。
【００３９】
次に、図６を参照しながら、ＰＤＦファイルサムネイル登録・表示手段１１１に相当する、素材情報３２０からなるＰＤＦファイル及びサムネイル画像を登録するＰＤＦファイル登録処理と、登録した素材情報３２０のサムネイル画像表示処理の処理動作について詳しく説明する。図６は、ＰＤＦファイルサムネイル登録・表示処理の処理手順を示すフローチャートである。
【００４０】
記憶部２０２には、アプリケーションプログラム３９２であるＰＤＦファイルサムネイル登録・表示プログラムがインストールされている。以下のサーバ１０１の処理は、Ｗｅｂサーバ１１０を介して、実行されるＷｅｂアプリケーションであるＰＤＦファイルサムネイル登録・表示プログラムに従って、サーバ１０１の制御部２０１によって行われる。
また、クライアント端末１０３の記憶部４０２には、アプリケーションプログラムであるＷｅｂブラウザ１２０がインストールされており、以下のクライアント端末１０３の処理（Ｗｅｂブラウザ１２０を介したサーバ１０１へのアクセス、サーバ１０１への指示等）は、クライアント１０３の制御部４０１によって行われる。
【００４１】
クライアント端末１０３の制御部４０１は、Ｗｅｂサーバ１１０を介して、アクセスし、商品情報データベース３０１に管理者権限を持つユーザＩＤでログイン要求を行う（ステップＳ６０１）。画像情報からなるＰＤＦファイルの登録は、管理者権限を有するユーザが行うものとする。
【００４２】
例えば、クライアント端末１０３のＷｅｂブラウザ１２０から、サーバ１０１の所定のＵＲＬを指定してＷｅｂサーバ１１０にアクセスし、Ｗｅｂアプリケーションは、データベースサーバ１１２を介して、ログイン画面データをクライアント端末１０３に送信する。クライアント端末１０３の制御部４０１は、ログイン画面（図示せず）に従って、入力されたユーザＩＤ、パスワード、サーバ名をサーバ１０１に送信する。
【００４３】
サーバ１０１の制御部２０１は、受け取ったユーザＩＤ、パスワード等からユーザ認証を行い（ステップＳ６０２）、正しくユーザ認証された場合、選択されたユーザグループ（管理者）、商品情報データベース３０１を設定、接続し、管理者モードの商品情報データベース３０１の商品情報３１０に対するメンテナン操作を行う管理者メンテナンストップ画面データを送信する（ステップＳ６０３）。
【００４４】
図８は、管理者メンテナンストップ画面１０と商品画像管理画面２０を示す図である。
図８に示すように、クライアント端末１０３の制御部４０１は、表示された管理者メンテナンストップ画面１０より、「商品画像」１１を選択し、送信する（ステップＳ６０４）。
【００４５】
サーバ１０１の制御部２０１は、商品画像管理画面データを送信する（ステップＳ６０５）。
クライアント端末１０３の制御部４０１は、商品画像のアップロード／サーチ／ダウンロードを行う商品画像管理画面２０を表示する（ステップＳ６０６）。制御部４０１は、商品画像ファイル登録２１の登録する商品画像ファイル２２（ＰＤＦファイル）を選択し（ステップＳ６０７）、「アップロード」ボタン２４をクリックすることにより、選択した商品画像ファイル２２（ＰＤＦファイル）の登録要求を送信する（ステップＳ６０８）。例えば、商品画像ファイル２２（ＰＤＦファイル）は、チラシ等の画像データである。
【００４６】
サーバ１０１の制御部２０１は、商品画像ファイル２２（ＰＤＦファイル）の登録要求に対して、商品情報データベース３０１への商品画像ファイル２２（ＰＤＦファイル）の登録処理を行う（ステップＳ６０９）。
【００４７】
商品画像ファイル２２の登録後、クライアント端末１０３の制御部４０１は、例えば、登録した商品の商品画像詳細画面閲覧要求を送信する（ステップＳ６１０）。
サーバ１０１の制御部２０１は、データベースサーバ１１２を介して、商品情報データベース３０１から、指定された商品画像の素材情報３２０及び関連するテキスト情報の付加情報３２を抽出し（ステップＳ６１１）、該素材情報３２０のサムネイル画像３２２、及び関連する付加情報３２からなる商品画像詳細画面データを送信する（ステップＳ６１２）。
【００４８】
クライアント端末１０３の制御部４０１は、サムネイル表示部３１を有する商品画像詳細画面３０を表示する（ステップＳ６１３）。
図９は、サムネイル表示部３１を有する商品画像詳細画面３０を示す図である。
図９に示すように、商品画像詳細画面３０は、サムネイル表示部３１、商品画像に関連する付加情報３２からなる。
サムネイル表示部３１には、ＧＩＦアニメーション化したサムネイル画像３２２を表示することにより、順次、自動的にＰＤＦファイルの商品画像の全ページがサムネイル表示される。
【００４９】
図７は、ステップ６０９の商品情報データベース３０１への商品画像ファイル２２（ＰＤＦファイル）の登録処理の処理手順を示すフローチャートである。
【００５０】
図７に示すように、サーバ１０１の制御部２０１は、一般的なＪＰＥＧ形式変換の変換エンジンを用いて、登録する商品画像ファイル２２（ＰＤＦファイル）を、ページ毎にＪＰＥＧ（Ｊｏｉｎｔ
Ｐｉｃｔｕｒｅ Ｅｘｐｅｒｔｓ Ｇｒｏｕｐ）ファイルに変換し、ファイル名を連番で付けて（例えば、○○-０１．ＪＰＥＧ、○○-０２．ＪＰＥＧ、・・・）、一時ファルダに保存する（ステップＳ７０１）。
【００５１】
サーバ１０１の制御部２０１は、作成した複数のＪＰＥＧファイルをファイル名でソートし、ＧＩＦアニメーション化した１つのＧＩＦファイルに変換し、一時ファルダに保存する（ステップＳ７０２）。
制御部２０１は、作成したＧＩＦファイルの画像データを縮小して、プレビュ用のサムネイル画像３２２を生成する（ステップＳ７０３）。
制御部２０１は、データベースサーバ１１２を介して、登録する商品画像のＰＤＦファイル３２１と、生成したサムネイル画像（ＧＩＦファイル）３２２を商品情報データベース３０１に登録、保持する（ステップＳ７０４）。
【００５２】
以上説明したように、本発明の実施の形態によれば、クライアント端末１０３からの画像ファイルの登録要求に伴い、受信した商品画像ファイル２２（ＰＤＦファイル）の各ページ毎の画像データを、結合してＧＩＦアニメーション化した１つのＧＩＦファイルに変換し、生成したＧＩＦファイルの画像データを縮小したサムネイル画像３２２を商品情報データベース３０１に登録、保持する。クライアント端末からのサムネイル画像閲覧要求に伴い、商品情報データベース３０１からサムネイル画像３２２を抽出し提供する。クライアント端末１０３は、受け取ったサムネイル画像を表示することにより、商品画像ファイル（ＰＤＦファイル）の全ページを順次自動的にＧＩＦアニメーション化してサムネイル表示する。
【００５３】
これにより、商品画像ファイルの全ページがサムネイル表示されるため、複数情報の比較・参照の容易さ、ページ内の一覧性を向上させ、その画像の特徴を即座に把握することができるため、サムネイル表示の効果を最大限に活かせ、データベースに登録されている素材のサムネイルを有効に閲覧可能とする。
【００５４】
尚、本実施の形態では、サーバ１０１に、Ｗｅｂサーバ１１０、ＰＤＦファイルサムネイル登録・表示手段１１１、データベースサーバ１１２等を有し、クライアント端末１０３から、サーバ１０１にアクセスし、Ｗｅｂサーバ１１０を介してＰＤＦファイルサムネイル登録・表示プログラムを起動したが、予め、クライアント端末１０３側にＰＤＦファイルサムネイル登録・表示プログラムをダウンロードにしておき、クライアント端末１０３上のＰＤＦファイルサムネイル登録・表示プログラムを起動し、サーバ１０１側のデータベースサーバ１１２の商品情報データベース３０１をアクセスしながら、ＰＤＦファイルサムネイル登録・表示処理を行ってもよい。
【００５５】
尚、図６、図７に示す処理を行うプログラムはＣＤ−ＲＯＭ等の記録媒体に保持させて流通させてもよいし、このプログラムを通信回線を介して送受することもできる。
【００５６】
以上、添付図面を参照しながら、本発明に係るデータベースシステム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【図面の簡単な説明】
【００５７】
【図１】本実施の形態に係るデータベースシステム１００の概略構成を示す図
【図２】サーバ１０１のハードウェア構成図
【図３】記憶部２０２が保持する情報を示す図
【図４】商品情報データベース３０１の一態様を示す図
【図５】クライアント端末１０３のハードウェア構成図
【図６】ＰＤＦファイルサムネイル登録・表示処理の処理手順を示すフローチャート
【図７】ステップ６０９の商品情報データベース３０１への商品画像ファイル２２（ＰＤＦファイル）の登録処理の処理手順を示すフローチャート
【図８】管理者メンテナンストップ画面１０と商品画像管理画面２０を示す図
【図９】サムネイル表示部３１を有する商品画像詳細画面３０を示す図
【符号の説明】
【００５８】
１００………データベースシステム
１０１………サーバ
１１０………Ｗｅｂサーバ
１０３………クライアント端末
１０９………ネットワーク
１１１………ＰＤＦファイルサムネイル登録・表示手段
１１２………データベースサーバ
１２０………Ｗｅｂブラウザ
２０１、４０１………制御部
２０２、４０２………記憶部
３０１………商品情報データベース
３１０………商品情報
３２０………素材情報
３２１………商品画像ファイル（ＰＤＦファイル）
３２２………サムネイル画像
【図１】
2008065656.tif 000003
【図２】
2008065656.tif 000004
【図３】
2008065656.tif 000005
【図４】
2008065656.tif 000006
【図５】
2008065656.tif 000007
【図６】
2008065656.tif 000008
【図７】
2008065656.tif 000009
【図８】
2008065656.tif 000010
【図９】
2008065656.tif 000011